(57)【要約】      （修正有）【課題】ユーザーは、コードレスで電子装置内にあるＭＰ３音楽ファイルを聞くか、又はブルートゥース機能付き携帯電話の着信を聞くかをボタンにより選択可能とする。【解決手段】コードで電気的に接続している、第一イヤホーン１と、第二イヤホーン２と、を有し、且つＦＭ信号を受信可能なＦＭ受信器と、ブルートゥース機能付き電子装置３とコードレスで信号を伝送可能なブルートゥースモジュールと、が組付けてあり、且つブルートゥース機能により音声入力装置とするマイク１５が設けてあり、そしてＦＭモードか、ブルートゥースモードかを切替えるための切替ボタン２２が設けてあることを特徴とするコードレスイヤホーン。【選択図】図１
0003132766.tif 000002
【実用新案登録請求の範囲】
【請求項１】
コードで電気的に接続している、第一イヤホーンと、第二イヤホーンと、を有し、
ＦＭ信号を受信可能なＦＭ受信器と、ブルートゥース（登録商標）機能付き電子装置とコードレスで信号を伝送可能なブルートゥースモジュールと、が組付けてあり、
ブルートゥース機能により音声入力装置とするマイクが設けてあり、
ＦＭモードか、ブルートゥースモードかを切替えるための切替ボタンが設けてあることを特徴とする、
コードレスイヤホーン。
【請求項２】
前記第一イヤホーンには、ブルートゥース機能および全体電圧低下を指示するための指示ランプである発光ダイオードが設けてあることを特徴とする、請求項１に記載のコードレスイヤホーン。
【請求項３】
前記第一イヤホーンには、音量を増減し、又はＦＭ受信器の受信周波数を調整するためのボタンが設けてあることを特徴とする、請求項１に記載のコードレスイヤホーン。
【考案の詳細な説明】
【技術分野】
【０００１】
本考案は、コードレスイヤホーンに係り、特に、ＦＭ受信器およびブルートゥース（登録商標）モジュールを有し、ＦＭ放射器またはブルートゥース放射器から放射される信号を受信して再生可能であり、ユーザーは、コードレスで電子装置内にあるＭＰ３音楽ファイルを聞くか、又はブルートゥース機能付き携帯電話の着信を聞くかをボタンにより選択可能なコードレスイヤホーンに関するものである。
【背景技術】
【０００２】
目下、国民の日常生活に不可欠な電子製品は携帯電話およびＭＰ３プレーヤーであり、ＭＰ３プレーヤーを有するユーザーは何時でも何処でもＭＰ３プレーヤーを身の回りに携帯して音楽を自在に楽しみ、なお、ＭＰ３プレーヤーを使用する場合には、イヤホーンを利用することが多いが、イヤホーンのコードが邪魔であるばかりか、他人と一緒に音楽を楽しむこともできない。
【０００３】
上記問題を解決するために、あるメーカはＭＰ３ファイルを有する電子装置（例えば、ＣＤプレーヤー、携帯電話、ＰＤＡやＭＰ３プレーヤーなど）に接続して電子装置の音声信号をＦＭ信号に変換して放射するためのＦＭ放射器を開発して市販し、ＦＭ放射器から放射される信号をラジオなどの装置で受信してスピーカーに通じて音楽を再生する。
この装置によれば、室内でも車内でも他人と一緒に音楽を楽しむことができる。
【０００４】
また、携帯電話が普及している現在では、車両を運転しているときにも着信することがある。
しかし、安全運転のために、法律の規定によれば、運転している人は携帯電話を使用することが許されない。
また、科学技術の進歩に伴ってブルートゥース伝送装置がどんどん普及しているので、ＭＰ３プレーヤー機能とブルートゥース機能を同時に持つ携帯電話が市販になっている。
【考案の開示】
【考案が解決しようとする課題】
【０００５】
本考案の主な目的は、ＦＭ受信器およびブルートゥースモジュールを有し、ＦＭ放射器またはブルートゥース放射器から放射される信号を受信して再生可能であり、ユーザーは、コードレスで電子装置内にあるＭＰ３音楽ファイルを聞くか、又はブルートゥース機能付き携帯電話の着信を聞くかをボタンにより選択可能なコードレスイヤホーンを提供することにある。
【課題を解決するための手段】
【０００６】
上記目的を達成するためになされた本願の第１考案は、コードで電気的に接続している、第一イヤホーンと、第二イヤホーンと、を有し、ＦＭ信号を受信可能なＦＭ受信器と、ブルートゥース機能付き電子装置とコードレスで信号を伝送可能なブルートゥースモジュールと、が組付けてあり、ブルートゥース機能により音声入力装置とするマイクが設けてあり、ＦＭモードか、ブルートゥースモードかを切替えるための切替ボタンが設けてあることを特徴とするコードレスイヤホーンであることを要旨としている。
【０００７】
本願の第２考案では、前記第一イヤホーンには、ブルートゥース機能および全体電圧低下を指示するための指示ランプである発光ダイオードが設けてあることを特徴とする第１考案に記載のコードレスイヤホーンであることを要旨としている。
【０００８】
本願の第３考案では、前記第一イヤホーンには、音量を増減し、又はＦＭ受信器の受信周波数を調整するためのボタンが設けてあることを特徴とする第１考案に記載のコードレスイヤホーンであることを要旨としている。
【考案の効果】
【０００９】
本考案のコードレスイヤホーンによれば、次のような効果がある。
（イ）本考案の第一イヤホーン内にＦＭ受信器が設けてあるので、携帯電話、ｉＰｏｄ（登録商標）、メモリスティックやＭＰ３プレーヤーなどの電子装置で再生されたＭＰ３ファイルの音声がＦＭ放射器よりＦＭ信号に変換され、本考案の第一イヤホーン内にあるＦＭ受信器が上記ＦＭ信号を受信してＭＰ３ファイルの音声を再生し、これにより、ユーザーは上記電子装置で再生されたＭＰ３ファイルの音声をコードレスで楽しむことができる。
【００１０】
（ロ）本考案の第一イヤホーン内にブルートゥースモジュールが設けてあるので、本考案のコードレスイヤホーンによれば、ＦＭ受信器によりＦＭ信号を受信可能であると共に、ブルートゥースモジュールにより、ｉＰｏｄ、メモリスティックやＭＰ３プレーヤーなどの電子装置に設けられたブルートゥース伝送器から放射される信号を受信することもできる。
【００１１】
（ハ）本考案の第一イヤホーン内にブルートゥースモジュールが設けてあるので、ブルートゥース機能付き携帯電話と交信することができるので、本考案のコードレスイヤホーンによれば、携帯電話内に再生されるＭＰ３プレーヤーはブルートゥース伝送器により第一イヤホーンに伝送されることができ、そして第一イヤホーンと第二イヤホーンとは携帯電話の着信を聞くためのイヤホーンとすることもでき、且つ第一イヤホーンにあるマイクは携帯電話の音声入力装置とすることができる。
【考案を実施するための最良の形態】
【００１２】
以下、添付図面を参照して本考案の好適な実施の形態を詳細に説明する。
【００１３】
まず、図１乃至図４を参照する。
本考案のコードレスイヤホーンは、コードで電気的に接続している、第一イヤホーン１と、第二イヤホーン２とから構成されるものである。
【００１４】
前記第一イヤホーン１は、ＦＭ信号を受信するためのＦＭ受信器と、ブルートゥース機能を持つ携帯電話などの電子装置３とコードレスで交信可能であるブルートゥースモジュールと、が組み付けてあり、その側面の頂端には全体の電源を制御するための電源ボタン１１が設けてあり、前記電源ボタン１１の周縁は光線を透過可能であり、且つ前記電源ボタン１１の周縁にはブルートゥース機能および全体電圧低下を指示するための指示ランプとする発光ダイオード（Light Emitting Diode,LED）１２が設けてあり、また、前記電源ボタン１１の下には、ＦＭ受信器の現在の受信周波数を表示するための液晶ディスプレー１３が組付けてあり、前記液晶ディスプレー１３の下の両側には、音量を増減し、又はＦＭ受信器の受信周波数を調整するためのボタン１４がそれぞれ設けてあり、且つ前記第一イヤホーン１の側縁には、ブルートゥース機能を使用している携帯電話の音声入力装置とするマイク１５が設けてある。
【００１５】
前記第二イヤホーン２は、電池が設けてあると共に、側縁に充電池を充電するための電源入力端２１が設けてあり、側面の頂端には、ブルートゥースモジュールを対にし、且つＦＭモードかブルートゥースかを切替えるための切替ボタン２２が設けてあり、前記切替ボタン２２の周縁は光線を透過可能であり、且つ前記切替ボタン２２の周縁には充電状態を指示するための指示ランプとする発光ダイオード２３が設けてある。
【００１６】
次に、図１乃至図５を参照しながら本考案の使用状態を詳細に説明する。
まず、ＭＰ３ファイルを持つ、携帯電話、ｉＰｏｄ、メモリスティックやＭＰ３プレーヤーなどの電子装置３にＦＭ放射器４を接続してＦＭ信号を放射して、前記第一イヤホーン１内に設けられたＦＭ受信器により前記ＦＭ信号を受信し、そうすると、第一イヤホーン１と第二イヤホーン２とにより、電子装置３で再生しているＭＰ３ファイルをコードレスで楽しむことができる。
【００１７】
また、図６を参照する。
ＭＰ３ファイルを持つ、ｉＰｏｄ、メモリスティックやＭＰ３プレーヤーなどの電子装置３にブルートゥース伝送器５を接続して、第二イヤホーン２の切替ボタン２２を押圧して、第一イヤホーン１内にあるブルートゥースモジュールと、ブルートゥース伝送器５とを対にすると、電子装置３で再生しているＭＰ３ファイルがブルートゥース伝送器５により信号を放射して、第一イヤホーン１内に設けられたブルートゥースモジュールで受信すると、第一イヤホーン１と第二イヤホーン２とにより、電子装置３で再生しているＭＰ３ファイルをコードレスで楽しむことができる。
【００１８】
また、図２と図７を参照する。
ブルートゥース伝送機能およびＭＰ３ファイル再生機能を持つ携帯電話が市販になっており、本考案は、第一イヤホーン１内に設けられたブルートゥースモジュールを携帯電話と対にしてコードレスで交信することができ、そして携帯電話で再生しているＭＰ３ファイルの音声をブルートゥース伝送方式により、第一イヤホーン１内に設けられたブルートゥースモジュールに伝送すると、ＭＰ３ファイルの音声を再生することができ、その前に、第二イヤホーン２にある切替ボタン２２を押圧して、第一イヤホーン１内に設けられたブルートゥースモジュールと、ブルートゥース伝送機能付き携帯電話と、を対にすることが必要であり、そうすると、携帯電話で再生しているＭＰ３ファイルの音声をブルートゥース伝送方式により第一イヤホーン１内に設けられたブルートゥースモジュールに伝送して再生することができ、又は携帯電話に着信している場合に、第一イヤホーン１にある発光ダイオード１２の発光により着信していることをユーザーに提示することができ、このとき、ユーザーが切替ボタン２２を押圧すると、第一イヤホーン１の側縁に設けられたマイク１５を音声入力装置として着信を回答することができ、且つ電話を切れた後、切替ボタン２２をもう一度押圧すると、本考案のコードレスイヤホーンはＦＭ受信モードに切替えられてＦＭ信号を受信することができるようになる。
【図面の簡単な説明】
【００１９】
【図１】本考案の実施例１の斜視図である。
【図２】本考案の第一イヤホーンの正面図である。
【図３】本考案の第二イヤホーンの正面図である。
【図４】本考案の第二イヤホーンの側面から見た斜視図である。
【図５】本考案の実施例２の斜視図である。
【図６】本考案の実施例３の斜視図である。
【図７】本考案の実施例４の斜視図である。
【符号の説明】
【００２０】
１        第一イヤホーン            １１      電源ボタン
１２      発光ダイオード            １３      液晶ディスプレー
１４      ボタン                    １５      マイク
２        第二イヤホーン            ２１      電源入力端
２２      切替ボタン                ２３      発光ダイオード
３        電子装置
４        ＦＭ放射器
５        ブルートゥース伝送器
【図１】
0003132766.tif 000003
【図２】
0003132766.tif 000004
【図３】
0003132766.tif 000005
【図４】
0003132766.tif 000006
【図５】
0003132766.tif 000007
【図６】
0003132766.tif 000008
【図７】
0003132766.tif 000009